(57)【特許請求の範囲】
【請求項１】
筐体と、
当該筐体の表面に配列された複数のキー部材と、
前記筐体内に備えられた照明部と、
を備え、
前記照明部からの光を、前記複数のキー部材のうち隣り合うキー部材の間から前記表面に放出させるとともに、前記照明部からの光を、前記キー部材における少なくとも外周部の表面から放出させない構造をさらに有する
電子機器。
【請求項２】
前記複数のキー部材がマトリックス状に配置された４つのキー部材を備え、
前記照明部からの光を、隣り合う前記キー部材の間で且つ前記４つのキー部材の隅部により囲まれる位置から前記表面に放出させる
請求項１に記載の電子機器。
【請求項３】
前記複数のキー部材は、フレームレスキー構造により配列される
請求項１または２に記載の電子機器。
【請求項４】
前記キー部材と前記照明部の間に、前記筐体の厚み方向に挟まれて配されるプレート部材をさらに備え、
前記プレート部材は、前記照明部から前記キー部材の間に向かう光を通過させる通過手段を有する
請求項１または２に記載の電子機器。
【請求項５】
前記キー部材と前記照明部の間に、前記筐体の厚み方向に挟まれて配され、透光性を有するラバーシートをさらに備える
請求項１乃至４のいずれかに記載の電子機器。
【発明の詳細な説明】
【技術分野】
【０００１】
本発明は、操作部の内側に照明部を備えた電子機器に関する。
【背景技術】
【０００２】
近年市場に提供されている携帯電話機は、そのデザイン的観点や携帯性の向上の為に年々小型化される傾向にある。
【０００３】
しかしながら、携帯電話機のサイズを現行の寸法のまま縮小すると、例えばＬＣＤ（Ｌｉｑｕｉｄ  Ｃｒｙｓｔａｌ  Ｄｉｓｐｌａｙ）で構成される表示部や、キートップなどで構成される操作部のサイズも小さくなってしまう。特に操作部においては、ボタン一つ一つの大きさが小さくなってしまう為に、ユーザの操作性が悪くなるという問題があった。
【０００４】
前段落において記載した問題に対応するために、例えば「フレームレスキー」と呼ばれるキー配列の構成が用いられている。従来のキー配列は、キートップとキートップの隙間にキーフロントからなる枠が存在していた。しかしながら、フレームレスキーのキー配列は隣り合うキー部材の間には、キーフロントからなる枠が存在しない。つまりフレームレスキーの構造を用いることにより、キーフロントの枠が存在しない領域の分だけ、それぞれのキートップの大きさを大きくすることが出来る（例えば特許文献１）。これにより、キー操作の操作性は維持されたまま、携帯電話機は小型化されるようになった。
【０００５】
他方、携帯電話機に限らず、視認性を高めるために、電話機の操作ボタンは半透明もしくは透明な部材からなり、当該ボタンを筐体内部からＬＥＤ（Ｌｉｇｈｔ  Ｅｍｉｔｔｉｎｇ  Ｄｉｏｄｅ）などの照明器具で照らす構成となっているものが多い（例えば特許文献２）。
【０００６】
従って、サイズが小さくなった場合においても、操作性及び視認性を向上させるために、上述した２つの技術を組み合わせた携帯電話機が、現在市場に多く投入されている。
【先行技術文献】
【特許文献】
【０００７】
【特許文献１】特開２００７‐１２４０１２
【特許文献２】実開平７‐３０４２５
【発明の概要】
【発明が解決しようとする課題】
【０００８】
しかしながら、「背景技術」の最下段において提示した携帯電話機（以下、従来の携帯電話機と記載する）には、以下に示す課題があった。
【０００９】
当該課題とは、従来の携帯電話機を使用しようとするとき、キートップ全体が光ってしまい、個々のキーの識別が難しくなってしまうというものである。以下、図８を用いて詳細に説明する。
【００１０】
図８（ａ）は、明るいところで従来の携帯電話機１０００の様子を示したものである。この従来の携帯電話機は、表示部１００２とフレームレスキーで構成された操作部１００１を備えている。当該操作部１００１は、透明または半透明の材質の樹脂等からなる。そして、従来の携帯電話機の内部には、筐体内側から操作部を照らすＬＥＤ等の照明部が配されている。また、携帯電話機１０００の周囲の明るさを検知し、当該周囲の明るさが閾値より下回ったとき、前記照明部を光らせる不図示の照明点灯手段も当該携帯電話機１０００は備えている。
【００１１】
図８（ａ）で示すように、明るいところに存在する従来の携帯電話機は、「１」「２」「３」「４」「５」「６」「７」「８」「９」「０」「＃」「＊」の各数字または文字が、境目があるように見えるため、個々のどのキーに割り当てられているか直ぐに視認可能な構成となっている。
【００１２】
図８（ｂ）は、前記照明点灯手段が作動するほど暗いところで、従来の携帯電話機１０００を使用したときの様子を示した図である。このとき、操作部１００１は、筐体内部に配されている照明部によって内側より照射される。しかしながら、当該携帯電話機１０００の操作部１００１はフレームレスキーで構成されている。従って、個々のキーの間は、フロントケース等で区切られていない。このような状況下で、筐体内部の照明部が光ると、図８（ｂ）に示すように、操作部１００１全体が光って見え、キーの境目が見えなくなってしまう。これは、個々のキーの間に照明部からの光を遮光するもの（例えば、フロントケースに一体成型された樹脂パーツ等）が無いために生じる現象である。従って、図８（ｂ）の状況下において、ユーザは個々のキーを区別して識別することが困難となり、ユーザの利便性に欠ける。
【００１３】
本発明の目的は、フレームレスキーによって構成された操作部を備えた電子機器において、操作部が内側より照らされても個々のキーをユーザが識別可能な電子機器を提供することである。
【課題を解決するための手段】
【００１４】
本発明に係る電子機器は、複数のキー部材がとなり合っているフレームレスキー構造のキートップを有した電子機器であって、当該電子機器内に備えられた照明部と、前記キートップと前記照明部の間に筐体の厚み方向に挟まれて配されるプレート部材と、を備え、前記キートップは、前記複数のキー部材間に前記照明部からの光を通す第１の通過手段を有し、前記プレート部材は、前記キートップの裏側に向かい合うように配され、前記第１の通過手段へ前記照明部からの光を通過させるための第２の通過手段を有する、ことを特徴とする。
【００１５】
好適には、前記キートップは、略長方形の形状をした前記複数のキー部材が並べられることにより形成され、前記第２の通過手段は、前記複数のキー部材が４つ接する箇所と向かい合う箇所に設けられた孔部であることを特徴とする。
【００１６】
好適には、前記フレームレスキーを構成する前記複数のキー部材は、互いに接続されていないことを特徴とする。
【００１７】
好適には、前記キートップと前記キーフレームの間に光を透過及び拡散させる透過拡散部が設けられることを特徴とする。
【発明の効果】
【００１８】
本発明によれば、フレームレスキーによって構成された操作部を備えた電子機器において、操作部が内側より照らされても個々のキーをユーザが識別可能な電子機器を提供することが可能である。
【図面の簡単な説明】
【００１９】
【図１】本発明の実施形態である携帯電話機の斜視図である。
【図２】第２筐体の分解斜視図である。
【図３】（ａ）第２筐体のキートップ部分の正面図である。（ｂ）（ａ）の部分の分解斜視図である。（ｃ）（ａ）において点線で囲った箇所の拡大図である。
【図４】第２筐体のキートップ部分の正面図である。
【図５】キートップの分解図である。
【図６】（ａ）第２筐体のキートップ部分の正面図である。（ｂ）図６（ａ）に示されたＹ‐Ｙ方向におけるキートップの断面図である。
【図７】図１におけるＸ‐Ｘ方向における断面図である。
【図８】従来の携帯電話機を示した図である。
【発明を実施するための形態】
【００２０】
以下、図面を参照して、本発明に係る電子機器の一実施形態について説明する。なお、以下の説明において、各部材を認識可能な大きさとするために、各部材の縮尺を適宜変更している。
【００２１】
本実施形態においては、本発明の電子機器の一例として携帯電話機を挙げて説明する。図１は、本実施形態の携帯電話機Ｋの斜視図である。この図に示すように、本実施形態の携帯電話機Ｋは、ディスプレイ４やスピーカ５を備える第１筐体１と、複数のキー部材１ａ〜１ｄ，２ａ〜２ｅ，３ａ〜３ｅ，４ａ〜４ｅからなるキートップが露出して配置される第２筐体２とがヒンジ部３を介して接続されており、必要に応じて（例えば、待機状態）折り畳める構造となっている。また、本実施形態の携帯電話機Ｋは、図１に示すように、キートップ２ａ〜２ｅ，３ａ〜３ｅ，４ａ〜４ｅ同士が隣接して配置されるフレームレスキー構造を採用している。このため、キートップ２ａ〜２ｅ，３ａ〜３ｅ，４ａ〜４ｅ間には、筐体の一部が各キートップ２ａ〜２ｅ，３ａ〜３ｅ，４ａ〜４ｅを支持するための枠体として配置されていない。
【００２２】
図２は第２筐体２の分解斜視図である。
【００２３】
第２筐体２は、その筐体厚さ方向に、フロントケース１０、キートップ１２、プレート部材８、ラバーシート７、基板９、リアケース１１の順に重なって配されている。
【００２４】
フロントケース１０は、第２筐体２の外観をなす部材の一つである。フロントケース１０は、当該携帯電話機Ｋが折り畳まれたとき、ディスプレイ４と接触する部分である。また、キートップを第２筐体２の外側に露出させるために、フロントケース１０は、その略中央に大きな開口部を有している。また、フロントケース１０は、第１筐体と接続する為のヒンジ部３を有している。
【００２５】
リアケース１１は、第２筐体２の外観をなす部材の一つである。前述したフロントケース１０と組み合わされることによって、リアケース１１は第２筐体２の外観を構成する。リアケース１１は、一面のみが開口した筐体の形状をしている。リアケース１１は、前述した開口した部分でフロントケース１０と組み立てられることによって、第２筐体２の外観を構成している。また、リアケース１１は、外界へ着信を伝える為のスピーカ等、数種類の部品を備えている。
【００２６】
キートップ１２は、キー部材１ａ〜１ｄ，２ａ〜２ｅ，３ａ〜３ｅ，４ａ〜４ｅから構成される。キー部材１ａ〜１ｄ，２ａ〜２ｅ，３ａ〜３ｅ，４ａ〜４ｅのうち、キー部材２ａ〜２ｅ，３ａ〜３ｅ，４ａ〜４ｅがテンキー、発呼キー及び電源キーなどを構成する。また、キー部材１ａは、押下されることによって、例えばディスプレイ４に選択表示された内容をユーザへ決定させる決定キーとして用いられる。また、キー部材１ｂは、例えばディスプレイ４に複数の選択項目が表示されたとき、上下方向または左右方向に押下されることによって、前記複数の選択項目をユーザへ選択させることが可能な選択キーである。キー部材１ｃ及びキー部材１ｄは、押下されることによって、例えばディスプレイ４が表示する画面の中に描かれた所定の操作をユーザへ選択及び決定させるソフトキーとして作用する。
【００２７】
また、キー部材１ａ〜１ｄ，２ａ〜２ｅ，３ａ〜３ｅ，４ａ〜４ｅは、例えばポリカーボネイトやアクリルなどの樹脂からなる。また、前述したように複数のキー部材１ａ〜１ｄ，２ａ〜２ｅ，３ａ〜３ｅ，４ａ〜４ｅは、それらが隣り合う箇所に、例えばフロントケース１０から延びて設けられる枠による仕切りが設けられない構造となっている。
【００２８】
また、複数のキー部材１ａ〜１ｄ，２ａ〜２ｅ，３ａ〜３ｅ，４ａ〜４ｅは、一つ一つが繋がっていない別々の部材である。そして、この複数のキー部材のうち、キー部材２ａ〜２ｅ，３ａ〜３ｅ，４ａ〜４ｅは、それぞれが角の丸い長方形の形状をしている。また、キー部材１ａは長方形の形状をしている。キー部材１ｂは、キー部材１ａを取り囲んだ四角い枠の形状をしている。また、キー部材１ｃ及びキー部材１ｄは、それぞれコの字の
形状をしている。そしてキー部材１ｃとキー部材１ｄは、二つ組み合わされることによって、一つの四角い枠の形状を構成し、キー部材１ｂを取り囲むように配される。
【００２９】
これら別々の部材であるキー部材１ａ〜１ｄ，２ａ〜２ｅ，３ａ〜３ｅ，４ａ〜４ｅがフロントケース１０に平行な方向に敷き詰められるように並んで配されることによってキートップ１２を構成する。これについては、後に詳述する。
【００３０】
プレート部材８は、キートップ１２とラバーシート７の間に配される部材である。プレート部材８は、例えば金属製である。具体的には、プレート部材８の原材料は、ステンレスまたはチタン等の軽くて強度の高い金属が用いられることが好ましい。また、プレート部材８の厚みは０．１５ｍｍほどである。
【００３１】
プレート部材８は、開口部８２を備えている。開口部８２は、ラバーシート７に備えられた押し子とキー部材１ａ〜１ｄ，２ａ〜２ｅ，３ａ〜３ｅ，４ａ〜４ｅに向かい合うようにプレート部材８に配される。押し子とは、ラバーシート７に一体成型された突起のことで、ドームスイッチ９２の頂点と接するようにラバーシート７に配される。従って、図２においては、図示されていない。
【００３２】
従って、プレート部材８はキートップ１２とラバーシート７の間に配されるものの、キートップ１２から加えられた押下をラバーシート７へ伝達させることが可能である。ゆえに、ラバーシート７に備えられた不図示の押し子が基板９に備えられたドームスイッチ９２へキートップ１２の押下を伝えることが可能となる。
【００３３】
プレート部材８は更に、孔部８１を備えている。当該孔部８１は、前述した開口部８２に比べ小さい孔である。具体的には、テンキーに向かい合うように配された略長方形の開口部８２は、長辺が約１０ｍｍ、短辺が約６ｍｍであるのに対し、孔部８１の直径は約０．５ｍｍである。図３（ａ）に示すとおり、孔部８１は、キー部材２ａ、２ｂ、３ａ、３ｂが接触する点Ａと向かい合うように孔部８１は配される。また、キー部材２ｂ、２ｃ、３ｂ、３ｃが接触する点Ｂに向かい合う箇所にも孔部８１は配される。また、キー部材２ｃ、２ｄ、３ｃ、３ｄが接触する点Ｃに向かい合う箇所にも孔部８１は配される。また、キー部材２ｄ、２ｅ、３ｄ、３ｅが接触する点Ｄに向かい合う箇所にも孔部８１は配される。また、キー部材３ａ、３ｂ、４ａ、４ｂが接触する点Ｅに向かい合う箇所にも孔部８１は配される。また、キー部材３ｂ、３ｃ、４ｂ、４ｃが接触する点Ｆに向かい合う箇所にも孔部８１は配される。また、キー部材３ｃ、３ｄ、４ｃ、４ｄが接触する点Ｇに向かい合う箇所にも孔部８１は配される。また、キー部材３ｄ、３ｅ、４ｄ、４ｅが接触する点Ｈに向かい合う箇所にも孔部８１は配される。つまり、孔部８１は合計で８つ、プレート部材８に設けられる。
【００３４】
ラバーシート７（特許請求の範囲における「透過拡散部」）は、基板９とプレート部材８の間に備えられる。ラバーシート７は、可撓性を有するシリコンゴムなどからなる。また、ラバーシート７は、透明または半透明である。従って、ラバーシート７は光を透過させることが可能である。また、ラバーシート７は、自身に対して入射された光量の一部を反射させることも可能である。ラバーシート７は、キー部材１ａ〜１ｄ，２ａ〜２ｅ，３ａ〜３ｅ，４ａ〜４ｅが押下されると撓む。そして、ラバーシート７の裏側（リアケース１１側）に備えられた押し子が、基板９の備えるドームスイッチ９２の頂上を押下する。
【００３５】
基板９は、プレート部材８とリアケース１１の間に挟まれるように配される。基板９は、コンピュータープログラムを動作させる制御部や、コンピュータープログラムを記憶する記憶部などの電子部品が配されている。
【００３６】
基板９は、ドームスイッチ９２を備えている。ドームスイッチ９２は、外界から押下されると電気信号を発生させる。当該電気信号を制御部が適宜処理することによって、ドームスイッチ９２は、外部からの押下による入力を、携帯電話機Ｋの動作に反映させることを可能とする。
【００３７】
基板９は更にＬＥＤ９１（特許請求の範囲における照明部）を複数個有している。ＬＥＤとはＬｉｇｈｔ  Ｅｍｉｔｔｉｎｇ  Ｄｉｏｄｅの略で電圧を印加することにより発光する素子である。なお、本実施形態においては、照明部としてＬＥＤを用いているものの、電気によって発光する素子であれば照明部として利用可能である。例えば、有機ＥＬ（Ｅｌｅｃｔｒｏ−Ｌｕｍｉｎｅｓｃｅｎｃｅ）などが例として挙げられる。  
【００３８】
ＬＥＤ９１は、プレート部材８に設けられた少なくとも孔部８１と向かい合う位置に設けられる。従って、点Ａ〜点Ｈの合計８箇所にＬＥＤは設けられる。なお、当該ＬＥＤ９１は点Ａ〜点Ｈ以外の箇所に更に備えられていてもよい。
【００３９】
基板９は更に、ＬＥＤ９１、ドームスイッチ９２が配されている面に白色シート９３が備えられている。白色シート９３が果たす役割については後に詳述する。
【００４０】
図３（ａ）は、キー部材２ａ〜２ｅ，３ａ〜３ｅ，４ａ〜４ｅの正面図である。前述したように、点Ａ〜点Ｈは孔部８１と向かい合うように配される。また、孔部８１はＬＥＤ９１と向かい合うように配される。従って、点Ａ〜点Ｈ、孔部８１及びＬＥＤ９１は、互いに第２筐体２の厚さ方向に一直線に並ぶこととなる。その様子を示した図が、図３（ｂ）である。なお、図を見やすくするために、本来ならばキートップ１２とプレート部材８の間に存在するラバーシート７を省いて本図は作成されている。矢印で示したようにＬＥＤ９１、孔部８１及び点Ａ〜点Ｈが一直線上に並んでいる。
【００４１】
図３（ｃ）は、図３（ａ）において、点線で囲んだ点Ａの付近を拡大した図である。キー部材２ａ、２ｂ、３ａ、３ｂは略長方形の形状をしている。しかしながら、図３（ｃ）に示したとおり、点Ａの部分は角に丸みがつけられている。従って、図中のＬに示すように、キー部材２ａ、２ｂ、３ａ、３ｂの角が直角である場合よりも、点Ａには、より大きな隙間が生じる。本実施形態においてはＬの長さは約０．４６ｍｍである。なお、図では点Ａの拡大図のみを示したものの、点Ｂ〜点Ｈにおいても同じ形状をしている。
【００４２】
図４（ａ）は、ＬＥＤ９１が点灯したときのキートップ１２の様子を示した図である。図中に示された星型の形状は、ＬＥＤ９１から放射された光を示している。図中に示されたとおり、ＬＥＤ９１の光は、孔部８１と点Ａ〜点Ｈを通過して外部へ放射される。従って、ＬＥＤ９１は、点Ａ〜点Ｈの箇所を局部的に光らせる。
【００４３】
図４（ｂ）は、暗い場所における、携帯電話機Ｋのキートップ１２の様子を示した図である。図８を用いて示したように、暗い場所においてキートップ１２の裏側（筐体内側）の照明が点灯すると、従来の携帯電話機ではキートップ１２全体が光ってしまう為に、キー部材一つ一つの視認性が悪くなってしまう。しかしながら、本発明による携帯電話機Ｋのキートップ１２は、キー部材２ａ〜２ｅ，３ａ〜３ｅ，４ａ〜４ｅが構成する４つ辻の箇所である点Ａ〜点Ｈが局部的に光るために、当該局部的な光が複数のキー部材の境目の目安となる。従って、図中破線で示したように、ユーザはキー部材の境目を見えないながらも認識することが可能となる。よって、暗い場所においてもユーザは快適にキー操作を行うことが可能となる。
【００４４】
図５はキートップ１２の分解図である。キー部材１ａ〜１ｄ，２ａ〜２ｅ，３ａ〜３ｅ，４ａ〜４ｅは、図中に示すように互いに接続されて形成されておらず、一つ一つバラバラに形成されている。（なお、特許請求の範囲における「複数のキー部材」は、図５に示すようにキー部材が一つ一つバラバラに形成されているという場合と、複数のキー部材が連続している場合も含む。すなわち、「複数のキー部材」とは、バラバラ及び連続の双方を含み、ユーザによって押下されるキー部材が複数個あるという意味である。）
このように、キー部材１ａ〜１ｄ，２ａ〜２ｅ，３ａ〜３ｅ，４ａ〜４ｅ部材がバラバラになっていることで、キートップ１２は、点Ａ〜点Ｈの所定の点の場所以外にも、例えばキー部材２ａと３ａの境界線、３ａと４ａの境界線にも隙間を生じさせることが可能となる。この隙間は、例えば点Ａの周辺において説明をすると、図３（ｃ）に示した隙間Ｍと隙間Ｎのことである。本実施形態において、この隙間の大きさはＭ、Ｎともに約０．１５ｍｍである。
【００４５】
従って、点Ａ〜点Ｈにおいて局部的にＬＥＤ９１の光が外界へ放射されるだけでなく、隙間Ｍ，Ｎからも光が漏れて放射される。よって、図６の太線で示すように、ＬＥＤ９１の光がキー部材１ａ〜１ｄ，２ａ〜２ｅ，３ａ〜３ｅ，４ａ〜４ｅの隙間全てから放射されるようになるために、キー部材一つ一つの視認性がより向上する。
【００４６】
また、キー部材１ａ〜１ｄ，２ａ〜２ｅ，３ａ〜３ｅ，４ａ〜４ｅが一つ一つバラバラに形成されていることで次に述べる効果もある。図６（ｂ）を用いて当該効果を説明する。
【００４７】
図６（ｂ）は、図６（ａ）に示されたＹ‐Ｙ方向の断面図である。
【００４８】
前述した効果とは、携帯電話機Ｋの誤認識を防ぎ、ユーザの操作性を向上させるというものである。当該効果を、図６（ｂ）を用いて詳細に説明する。
【００４９】
もし、キートップが連続に形成されていたとすると、「５」キーの周りにある「１」「２」「３」「４」「６」「７」「８」「９」のキーも連動して上下運動してしまう（図６（ｂ）上段）。従って、「１」「２」「３」「４」「６」「７」「８」「９」も、それらの直下にあるラバーシート７を押下してしまう為に、「１」「２」「３」「４」「６」「７」「８」「９」に対応するドームスイッチ９２が押下されてしまう恐れがあった。よって、「１」「２」「３」「４」「６」「７」「８」「９」が押されたと、携帯電話機Ｋは誤認識を起こしてしまい、ユーザの操作性が悪くなる恐れがあった。
【００５０】
しかしながら、本発明は、前述したようにキー部材１ａ〜１ｄ，２ａ〜２ｅ，３ａ〜３ｅ，４ａ〜４ｅがバラバラに存在しているために、「１」「２」「３」「４」「６」「７」「８」「９」は、「５」が押下されることに連動して動くことはない（図６（ｂ）下段）。従って、前述したような、連続的に複数のキー部材が形成されているときに生じる問題は生じなくなる。
【００５１】
図７（ａ）は、図１において示したＸ‐Ｘ方向の断面図である。図７（ｂ）は、図７（ａ）において破線で囲んだ箇所を拡大した図である。具体的には、点Ｄと点Ｈを通り、キートップ１２に垂直な平面で携帯電話機Ｋを切断したときの断面図である。
【００５２】
図７（ｂ）において示したように、基板９に配されたＬＥＤ９１から発射された光は透過性を有するラバーシート７、孔部８１及び点Ｄを通過して外へ放射される（破線矢印Ｙ）。同時に、ＬＥＤ９１から放射された光は、点Ｄから放射されないものもある（破線矢印Ｚ）。これら点Ｄから放射されない光Ｚは、プレート部材８と白色シート９３によって反射されてラバーシート７と基板９の間を第２筐体２の横手方向及び長手方向へと伝播する。そして光Ｚは、自身を放射した以外のＬＥＤ９１が配されている箇所まで到達し（例えば点Ｈの直下にあるＬＥＤ９１）、前記ＬＥＤ９１と向かい合っているキートップ１２の隙間から外界へ放射される。つまり、ＬＥＤ９１から放射された光のうち、向かい合うキートップ１２の隙間以外の方向に放射されてしまった光をも、外へ放射させることが可能となるため、ＬＥＤ９１から放射された光が第２筐体２の内部に閉じ込められることがない。従って、ＬＥＤ９１から放射された光を無駄にしない。従って、より効率的に光を利用できるという効果が生じる。
【００５３】
以上、本発明の実施形態について図面を参照して詳説したが、具体的な構成は、上記実施形態に限定されるものではなく、本発明の要旨を逸脱しない範囲において設計変更等が可能である。
【００５４】
例えば、上記実施形態においては、本発明の電子機器の一例として、携帯電話機を挙げて説明した。しかしながら、本発明は、携帯電話機に限定されるものではなく、例えばパソコンのキーボードなどの押すためのキーを複数備える電子機器であれば適用することが可能である。
【００５５】
また、上記実施形態の携帯電話機は折り畳み型のものであったが、本発明はヒンジ部３を備えないストレート型の携帯電話機にも適用可能である。
【００５６】
また、本実施形態においてプレート部材８は、金属製の板金からなると説明したものの、本発明は当該材料でなくとも、その効果を発揮することが可能である。例えば樹脂製の透明な板に孔部８１に該当する箇所以外の面に塗装が施されたものであってもよい。
【符号の説明】
【００５７】
Ｋ…携帯電話機
１…第１筐体
２…第２筐体
７…ラバーシート
８…プレート部材
９…基板
１０…フロントケース
１１…リアケース
１ａ〜１ｄ，２ａ〜２ｅ，３ａ〜３ｅ，４ａ〜４ｅ…キー部材
８１…孔部
８２…開口部
９１…ＬＥＤ
９２…ドームスイッチ
９３…白色シート
【図１】
0005436606.tif 000002
【図２】
0005436606.tif 000003
【図３】
0005436606.tif 000004
【図４】
0005436606.tif 000005
【図５】
0005436606.tif 000006
【図６】
0005436606.tif 000007
【図７】
0005436606.tif 000008
【図８】
0005436606.tif 000009